(57)【要約】  【課題】引出し装置を備えた冷蔵庫に関し、扉のガタツキも少なく使い勝手の良い、かつ材料費、加工費を抑制した冷蔵庫を提供することを目的とする。  【解決手段】横中仕切り壁７と、その複数の横中仕切り壁７によって分割された貯蔵室をさらに左右に分割する縦中仕切り壁８を備え、前記下側の横中仕切り壁７と縦中仕切り壁８との結合部を、移動ローラが走行するレール部間で上下に分割する構成としたことにより、縦中仕切り壁８の取り付け位置が上下した場合でも、レール部の位置が縦中仕切り壁に依存していないため、移動ローラが摺動するレール部内での位置が上下することはなく、扉の左右の歪みがなく、扉のガタツキも少なく使い勝手の良さを確保できるとともに、下側の中仕切り壁の構造が複雑にならないため、特にレール部を形成するための金型の左右抜きが難しくならないため、加工費の抑制を図ることができる。【選択図】図５
2006078057.tif 000002
【特許請求の範囲】
【請求項１】
内箱と、外箱と、前記内箱と外箱間に充填した発泡断熱材とよりなる前面開口部を有する断熱箱体を備えた冷蔵庫において、冷蔵庫本体と、食品収納ケースを載置するフレームが取り付けられた引き出し扉と、フレームを下方より支持するフレーム支持部材と、この本体の貯蔵室を上下に分割する横中仕切り壁と、この貯蔵室をさらに左右に分割する縦中仕切り壁を備え、前記下側の横中仕切り壁と縦中仕切り壁との結合部を、移動ローラが走行するレール部間で上下に分割し構成したことを特徴とする冷蔵庫。
【請求項２】
縦中仕切り壁の前側部に、上部を上側の中仕切り壁に固定し、下部を下側中仕切り壁に固定した鋼板製の前板を設けたことを特徴とする請求項１に記載の冷蔵庫。
【請求項３】
横中仕切り壁を前後に分割し、横中仕切り壁前部材を内箱及び冷蔵庫本体に固定したことを特徴とする請求項１または２に記載の冷蔵庫。
【請求項４】
横中仕切り壁前部材に、フレームを下辺から支持するフレーム支持部材を設けたことを特徴とする請求項１から３のいずれか一項に記載の冷蔵庫。
【請求項５】
縦中仕切り壁に設けた爪部を、下側の横中仕切り壁に穴部に引っ掛け固定することを特徴とする請求項１から４のいずれか一項に記載の冷蔵庫。
【発明の詳細な説明】
【技術分野】
【０００１】
本発明は、左右に併設した貯蔵室を備え、引出し装置を有する冷蔵庫に関するものである。
【背景技術】
【０００２】
近年、冷蔵庫は、収納量の増加、使い勝手の向上を図るため、引出し装置を備えたものが主流となってきており、更に左右に並んだ貯蔵室を備え、中仕切り壁構造が用いられることも多い（例えば、特許文献１参照）。
【０００３】
以下、図面を参照しながら、上記従来の左右に並んだ貯蔵室を備えた中仕切り壁構造を備えた冷蔵庫について説明する。
【０００４】
図６は、特許文献１に示された従来の冷蔵庫の仕切り壁の組み立てを示す斜視図である。図において、冷蔵庫本体１０１の庫内側に取り付けられた内箱１０２と、横中仕切り壁１０３と、縦中仕切り壁１０４と、横中仕切り壁前部材１０５から構成されている。また、前記縦中仕切り壁１０４に移動ローラが摺動するレール部１０６が形成されており、レール部１０６の断面はコの字形状を成している。
【特許文献１】特開平１１−２９４９３９号公報
【発明の開示】
【発明が解決しようとする課題】
【０００５】
しかしながら、上記従来の冷蔵庫では、縦中仕切り壁に移動ローラが摺動するレール部が形成されているため、縦中仕切り壁の取り付け位置が上下する場合があり、それによりレール部の位置も上下した。レール部の位置が上下にズレた位置で取り付けられた場合、フレームに取り付けられた移動ローラ位置も同時に上下するため、それに合わせてフレームの位置もズレるために、引出し扉が歪んだ状態で取り付けられるという課題を有していた。
【０００６】
また、縦中仕切り壁に移動ローラが摺動するレール部を形成せず、下側の横中仕切り壁にレール部を形成した場合、縦中仕切り壁の取り付け位置が上下した場合でも、レール部の位置が縦中仕切り壁に依存していないため、移動ローラが摺動するレール部の位置は上下することはない。しかし縦中仕切り壁に移動ローラが摺動するレール部を形成せず、下側の中仕切り壁にレール部を形成した場合では、下側の中仕切り壁の構造が複雑になるため、特にレール部を形成するための金型の左右抜きが難しく、加工費が大きくなってしまうという課題を有していた。
【０００７】
本発明は上記従来の課題を解決するものであり、下側の横中仕切り壁の構造が容易で加工費を抑制すること出来、引出し扉が歪んだ状態で取り付けられることのない冷蔵庫を提供することを目的とする。
【課題を解決するための手段】
【０００８】
上記従来の課題を解決するために、本発明の冷蔵庫では、下側の横中仕切りにレール部の下側を形成し、縦中仕切り壁にレール部の上側を形成したものである。
【０００９】
これによって、下側の横中仕切り壁にレール部の下側があるため、縦中仕切り壁の取り付け誤差などによりレール部の下側の位置が上下することもなく、引出し扉が歪んだ状態で取り付けられることもない。また縦中仕切り壁にレール部の上側を形成したことにより、下側の横中仕切りの構造が従来のものよりも容易になり、加工費の抑制を図ることが出来る。
【発明の効果】
【００１０】
本発明の冷蔵庫は、引出し装置を備え、左右に並んだ貯蔵室を備えた冷蔵庫に関し、下側の横中仕切り壁にレール部の下側を形成し、縦中仕切り壁にレール部の上側を形成したものであり、成形が容易になるため加工費を安く抑えることができる。
【発明を実施するための最良の形態】
【００１１】
請求項１に記載の発明は、内箱と、外箱と、前記内箱と外箱間に充填した発泡断熱材とよりなる前面開口部を有する断熱箱体を備えた冷蔵庫において、この冷蔵庫本体の貯蔵室を区画する中仕切壁と、内部に備えた食品収納ケースを前後に移動可能とするフレームが取り付けられた引出し扉と、フレームを下方より支持するフレーム支持部材と、この本体の貯蔵室を上下に分割する横中仕切り壁と、その複数の横中仕切り壁によって分割された貯蔵室をさらに左右に分割する縦中仕切り壁を備え、前記下側の横中仕切り壁と縦中仕切り壁との結合部を移動ローラが走行するレール部間で上下に分割し構成したことにより、縦中仕切り壁の取り付け位置が上下した場合でも、レール部の位置が縦中仕切り壁に依存していないため、移動ローラが摺動するレール部内の位置は上下することはなく、また下側の中仕切り壁の構造が複雑にならないため、特にレール部を成形するための金型の左右抜きが必要なくなり、加工費の抑制を図ることができる。
【００１２】
請求項２に記載の発明は、請求項１に記載の発明において、縦中仕切り壁の前側部に、上部を上側の中仕切り壁に固定し、下部を下側中仕切り壁に固定した鋼板製の前板を設けたことにより、縦中仕切り壁の上下、前後の動きに対する規制を行なうことができ、また、扉と冷蔵庫内の密閉性、操作性の確保を図ることができる。
【００１３】
請求項３に記載の発明は、請求項１または２に記載の発明において、横中仕切り壁を前後に分割し、横中仕切り壁前部材を内箱及び冷蔵庫本体に固定したことにより、冷蔵庫本体の強度の確保を図ることができ、横中仕切り壁による密閉性の確保も図ることができる。
【００１４】
請求項４に記載の発明は、請求項１から３のいずれか一項に記載の発明において、横中仕切り壁前部材に、フレームを下辺から支持するフレーム支持部材を設けたことにより、フレームの上下の位置を横中仕切り壁の同一面で規制することができるため、扉の歪みを抑制することがきる。
【００１５】
請求項５に記載の発明は、請求項１から４のいずれか一項に記載の発明において、縦中仕切り壁に設けた爪部を、下側の横中仕切り壁に穴部に引っ掛け固定することにより、縦中仕切り壁と横中仕切り壁の位置規制を図ることができ、密閉性の確保を図ることができる。
【００１６】
以下、本発明の実施の形態について、図面を参照しながら説明する。なお、この実施の形態によってこの発明が限定されるものではない。
【００１７】
（実施の形態１）
図１は本発明の実施の形態１における冷蔵庫の正面図、図２は同実施の形態の冷蔵庫の図１のＡ−Ａ線断面図、図３は同実施の形態の冷蔵庫の仕切り壁の組み立ての斜視図、図４は同実施の形態の冷蔵庫の図３の詳細図、図５は同実施の形態の冷蔵庫の正面断面図である。
【００１８】
図１から図５において、冷蔵庫本体６には温度帯の異なる部屋があり、上部より冷蔵室１、製氷室２、切り替え室３、野菜室４、冷凍室５を形成している。
【００１９】
冷蔵庫本体６と内箱１３との空間には充填発泡されたポリウレタン等の断熱材があり、それにより庫内への断熱を行っている。また温度帯の異なる各部屋を仕切り壁によって仕切っており、冷蔵庫本体と同様充填発泡されたポリウレタン等の断熱材により断熱を行っている。また、横中仕切り壁７の下部に配置する野菜室４は冷却温度が５℃程度、上部に配置する製氷室２は、冷却温度が−２０℃程度というように横仕切り壁７を介して上下に異なる温度帯に設定されている。また切り替え室３は５℃〜−２０℃程度の温度帯の範囲をもっており、横中仕切り壁７を介して上下に、縦中仕切り壁８を介して左右に異なる温度帯に設定されている。
【００２０】
横中仕切り壁前部材９は横中仕切り壁前部材前板９ａ、発泡スチロール性の横中仕切り壁前部材発泡断熱材９ｂ、横中仕切り壁前部材本体９ｃで形成されている。横中仕切り壁前部材９は内箱１３に接する左右両端で固定されており、冷蔵庫本体６の変形を防止、強度の確保を行っている。また、フレーム１１を下辺より支持するフレーム支持部材１０が前記横中仕切り壁前部材本体９ｃの凹み部に埋没されており、前記フレーム支持部材１０はツメにより横中仕切り壁前部材９に固定されている。フレーム支持部材１０を左右フレーム１１の外側に設置し、フレーム支持部材１０に設けられたリブがフレーム１１を左右から挟み込むことによって、フレーム１１の左右ガタツキを抑制することが出来、ドアの左右取り付けのズレを抑制し、冷蔵庫の品位向上をさせることができる。
【００２１】
横中仕切り壁７は前記横中仕切り壁前部材９と内箱１３の空間に隙の無いよう固定され、温度帯の異なる部屋の断熱を行っている。また、横中仕切り壁７は横中仕切り壁上部７ａ、発泡スチロール性の横中仕切り壁発泡断熱材７ｂ、横中仕切り壁下部７ｃで形成されている。
【００２２】
縦中仕切り壁８は前記横中仕切り壁９と、上側横中仕切り壁１５の間に組み込まれ、左右の温度帯の異なる製氷室２と切り替え室３の断熱を行っている。縦中仕切り壁８は縦中仕切り壁左部８ａ、発泡スチロール性の縦中仕切り壁左部発泡断熱材８ｂ、縦中仕切り壁右部８ｃ、縦中仕切り壁前板８ｄで形成されており、縦中仕切り壁左部８ａと縦中仕切り壁右部８ｃは数箇所設けられた爪によって引っ掛け固定されている。縦中仕切り壁前板８ｄは、縦中仕切り壁前板８ｄ設けられた穴に、縦中仕切り壁左部８ａに設けられた爪を引っ掛け固定している。また、縦中仕切り壁爪部８ｅを横中仕切り壁穴部７ｄに差し込むことにより、縦中仕切り壁８と横中仕切り壁７との間に隙無きよう確実に固定している。
【００２３】
横中仕切り壁７と縦中仕切り壁８の結合部は、扉に取り付けられたフレーム１１に固定された移動ローラ１２が走行するレール部間で上下に分割し構成したことにより、縦中仕切り壁８の取り付け位置が上下した場合でも、レール部の位置が縦中仕切り壁８に依存していないため、移動ローラ１２が摺動するレール部の位置は上下することはなく操作性が高まるとともに、中仕切り壁７の構造が複雑にならないため、特にレール部を形成するための金型の構造が簡素化され、加工費の抑制を図ることができ、低コスト化を実現できる。
【産業上の利用可能性】
【００２４】
以上のように、本発明にかかる冷蔵庫は、左右に並んだ扉を歪みなく位置させることができ、また使い勝手の良い引出し収納ができるので、冷凍装置を備えた冷却貯蔵庫の引出し装置等の用途にも適用できる。
【図面の簡単な説明】
【００２５】
【図１】本発明の実施の形態１における冷蔵庫の正面図
【図２】同実施の形態の冷蔵庫の図１のＡ−Ａ線断面図
【図３】同実施の形態の冷蔵庫の仕切り壁の組み立ての斜視図
【図４】同実施の形態の冷蔵庫の図３の詳細図
【図５】同実施の形態の冷蔵庫の正面断面図
【図６】従来の冷蔵庫の仕切り壁の組み立ての斜視図
【符号の説明】
【００２６】
６    冷蔵庫本体
７    横中仕切り壁
７ｄ  横中仕切り壁穴部
８    縦中仕切り壁
８ｄ  縦中仕切り壁前板
８ｅ  縦中仕切り壁爪部
９    横中仕切り壁前部材
１０  フレーム支持部材
１１  フレーム
１３  内箱
【図１】
2006078057.tif 000003
【図２】
2006078057.tif 000004
【図３】
2006078057.tif 000005
【図４】
2006078057.tif 000006
【図５】
2006078057.tif 000007
【図６】
2006078057.tif 000008